(57)【特許請求の範囲】
【請求項１】
複数の異なる無線方式の信号が含まれる受信信号を受信し、前記受信信号から無線方式を検出する無線受信装置が行う無線受信方法であって、
前記受信信号から受信対象としている無線方式で使用されている周波数帯域に亘って信号を検出する第１の無線方式検出ステップと、
既に検出されている無線方式で使用されている周波数帯域以外の周波数帯域における信号を検出する第２の無線方式検出ステップと、
前記第２の無線方式検出ステップにおいて検出された無線方式を用いて、前記受信信号に対して復調を行う復調ステップと
を有し、
前記第１の無線方式検出ステップ又は前記第２の無線方式検出ステップのうち少なくとも一方は、
前記受信信号から既に検出されている無線方式で使用されている周波数帯域の成分を前記受信信号において抑圧する抑圧ステップを備え、
前記第２の無線方式検出ステップは、
前記抑圧ステップにおいて周波数帯域の成分が抑圧された前記受信信号の信号電力が予め定められた電力しきい値以上であるか否かの判定を行うレベル検出ステップと、
前記レベル検出ステップにおいて、前記信号電力が前記電力しきい値以上であると判定された場合に、前記抑圧ステップにおいて周波数帯域の成分が抑圧された前記受信信号に対して特徴解析を行うことにより、該受信信号に含まれる信号の無線方式を検出する特徴解析ステップとを備える
ことを特徴とする無線受信方法。
【請求項２】
請求項１に記載の無線受信方法であって、
前記復調ステップにおいて、更に、
復調をしている無線方式の信号の受信が完了したことを検出し、
前記抑圧ステップにおいて、更に、
受信が完了したことが検出されると、検出された無線方式で使用されている周波数帯域の成分を抑圧することを停止する
ことを特徴とする無線受信方法。
【請求項３】
請求項１又は請求項２のいずれかに記載の無線受信方法であって、
前記特徴解析ステップにおいて、
前記抑圧ステップにおいて周波数帯域の成分が抑圧された前記受信信号から、前記電力しきい値以上の信号電力が存在する周波数と、当該周波数の幅と、当該周波数において用いられている変調方式とのうち少なくとも１つを用いて無線方式を検出する
ことを特徴とする無線受信方法。
【請求項４】
複数の異なる無線方式の信号が含まれる受信信号を受信し、前記受信信号から無線方式を検出する無線受信装置が行う無線受信方法であって、
前記受信信号から受信対象としている無線方式で使用されている周波数帯域に亘って信号を検出する第１の無線方式検出ステップと、
既に検出されている無線方式で使用されている周波数帯域以外の周波数帯域における信号を検出する第２の無線方式検出ステップと、
前記第２の無線方式検出ステップにおいて検出された無線方式を用いて、前記受信信号に対して復調を行う復調ステップと
を有し、
前記第１の無線方式検出ステップにおいて、
ＦＦＴを用いて、前記受信信号を周波数領域の信号に変換し、受信対象としている無線方式で使用されている周波数帯域に亘って信号の検出を行い、
前記第２の無線方式検出ステップは、
既に検出されている無線方式で使用されている周波数帯域以外の周波数帯域における信号が前記第１の無線方式検出ステップにおいて検出された場合に、検出された信号の周波数帯域に対して、前記第１の無線方式検出ステップにおけるＦＦＴより分解能の高いＦＦＴを行うＦＦＴステップと、
前記ＦＦＴステップにおいて周波数領域の信号に変換された信号に対して特徴解析を行うことにより無線方式を検出するステップとを備える
ことを特徴とする無線受信方法。
【請求項５】
複数の異なる無線方式の信号が含まれる受信信号を受信し、前記受信信号から無線方式を検出する無線受信装置であって、
前記受信信号から受信対象としている無線方式で使用されているすべての周波数帯域に亘って信号を検出し、更に、既に検出された無線方式で使用されている周波数帯域以外の周波数帯域において受信対象としている無線方式の信号を検出する無線方式検出部と、
前記無線方式検出部により検出された無線方式を用いて、前記受信信号に対して復調を行う復調部と、
前記受信信号から既に検出されている無線方式で使用されている周波数帯域の成分を前記受信信号から抑圧する抑圧部と、
前記抑圧部により周波数帯域の成分が抑圧された前記受信信号の信号電力が予め定められた電力しきい値以上であるか否かの判定を行うレベル検出部と、
前記レベル検出部により前記信号電力が前記電力しきい値以上であると判定された場合に、前記抑圧部において周波数帯域の成分が抑圧された前記受信信号に対して特徴解析を行う特徴解析部と
を具備し、
前記無線方式検出部は、
前記特徴解析部による特徴解析の結果に基づいて、前記受信信号に含まれる信号の無線方式を検出する
ことを特徴とする無線受信装置。
【請求項６】
請求項５に記載の無線受信装置であって、
前記復調部は、更に、
復調をしている無線方式の信号の受信が完了したことを検出し、
前記抑圧部は、更に、
受信が完了したことが検出されると、検出された無線方式で使用されている周波数帯域の成分を抑圧することを停止する
ことを特徴とする無線受信装置。
【請求項７】
請求項５又は請求項６のいずれかに記載の無線受信装置であって、
前記無線方式検出部は、
前記抑圧部により周波数帯域の成分が抑圧された前記受信信号から、前記電力しきい値以上の信号電力が存在する周波数と、当該周波数の幅と、当該周波数において用いられている変調方式とのうち少なくとも１つを用いて無線方式を検出する
ことを特徴とする無線受信装置。
【請求項８】
複数の異なる無線方式の信号が含まれる受信信号を受信し、前記受信信号から無線方式を検出する無線受信装置であって、
前記受信信号から受信対象としている無線方式で使用されているすべての周波数帯域に亘って信号を検出し、更に、既に検出された無線方式で使用されている周波数帯域以外の周波数帯域において受信対象としている無線方式の信号を検出する無線方式検出部と、
前記無線方式検出部により検出された無線方式を用いて、前記受信信号に対して復調を行う復調部と
を具備し、
前記無線方式検出部は、
ＦＦＴを用いて、前記受信信号を周波数領域の信号に変換し、受信対象としている無線方式で使用されている周波数帯域に亘って信号の検出を行う第１無線方式検出部と、
既に検出されている無線方式で使用されている周波数帯域以外の周波数帯域における信号を前記第１無線方式検出部が検出した場合に、前記第１無線方式検出部が検出した信号の周波数帯域に対して、前記第１無線方式検出部におけるＦＦＴより分解能の高いＦＦＴを用いて、受信対象としている無線方式の信号を検出する第２無線方式検出部と
を備えている
ことを特徴とする無線受信装置。
【発明の詳細な説明】
【技術分野】
【０００１】
本発明は、複数の無線方式の信号が重畳された信号を受信し、それぞれの無線方式の復調を行う無線受信方法、及び無線受信装置に関する。
【背景技術】
【０００２】
近年、家庭内やオフィスにおける光回線に端末等を接続する屋内ネットワークとして、接続場所を問わない無線ＬＡＮを利用しているユーザが増加している。また、ユビキタス系のＭ２Ｍ（Machine to Machine）通信では、無線ＬＡＮより省電力な無線方式のＢｌｕｅｔｏｏｔｈ（登録商標）やＺｉｇｂｅｅ（登録商標）などの通信規格を用いた通信や、特定省電力無線局としての通信を行うことが検討されている。このように、用途に合わせて利用する無線方式の多様化が進んでいる。
【０００３】
複数の無線方式に対応するためには、それぞれの無線方式に対応した基地局装置を複数設置するか、又は複数の無線方式を用いて通信を行える基地局装置を用いる必要がある。例えば、１つの基地局装置が、複数の無線方式に対応する場合には、それぞれの無線方式に対応する復調部を備え、すべての無線方式に対応するバンドパスフィルタ（Band Pass Filter：ＢＰＦ）を用いて受信信号から信号を抽出した後に、復調処理する構成が検討されていた。
【０００４】
しかし、ソフトウエア無線技術を用いた基地局装置において上述の復調処理を実現する際には、受信信号に各無線方式の信号が含まれない場合でも常にバンドパスフィルタの処理を行うために、基地局装置で対応する無線方式の増加に応じて、演算量が増加してしまうという問題があった。また、演算処理能力が低い場合、新たな無線方式の追加や、対象とする周波数帯域の追加ができないという問題があった。
【０００５】
これに対して、特許文献１に記載されている技術では、複数の無線方式の信号が重畳された広帯域のアナログ信号を一括して受信し、受信した信号に対してアナログ−ディジタル変換を行い、ディジタル化した信号に対して特徴解析を行う。特徴解析の結果から復調処理に用いる無線方式を選択し、選択した無線方式の復調を行うことにより、演算量の増加を抑えることが検討されている。
【先行技術文献】
【特許文献】
【０００６】
【特許文献１】特開２０１０−２７８６１９号公報
【発明の概要】
【発明が解決しようとする課題】
【０００７】
特許文献１に記載されている技術では、複数の異なる無線方式に対応する信号が互いに独立に送信され、複数の無線方式に対応する信号が重畳された信号を受信する場合、各無線方式を用いた受信をできる状態にしておくために、基地局装置において受信動作をしている間は各無線方式を検出する処理を常に行う必要がある。ここで、無線方式の検出する処理において、ＦＦＴ（Fast Fourier Transform：高速フーリエ変換）を用いる場合、検出精度を向上させるためにＦＦＴのポイント数を多くすると演算量が増加する。この場合、他のソフトウエア処理に割り当てる演算処理能力が減ることになり、処理時間が増加してしまうという問題がある。
また、既に検出済みの無線方式の信号に対する受信処理を行っている場合であっても、それ以外の無線方式の受信信号が含まれているか否かを検出する必要がある。そのため、無線方式の検出をする処理は常に行うので、演算量は増加する傾向にあるという問題がある。
【０００８】
本発明は上記の問題を解決すべくなされたものであって、その目的は、受信信号に含まれる各無線方式の信号を検出する処理に要する演算量を低減させることができる無線受信方法、及び無線受信装置を提供することにある。
【課題を解決するための手段】
【０００９】
上記問題を解決するために、本発明は、複数の異なる無線方式の信号が含まれる受信信号を受信し、前記受信信号から無線方式を検出する無線受信装置が行う無線受信方法であって、前記受信信号から受信対象としている無線方式で使用されている周波数帯域に亘って信号を検出する第１の無線方式検出ステップと、既に検出されている無線方式で使用されている周波数帯域以外の周波数帯域における信号を検出する第２の無線方式検出ステップと、前記第２の無線方式検出ステップにおいて検出された無線方式を用いて、前記受信信号に対して復調を行う復調ステップとを有することを特徴とする無線受信方法である。
【００１０】
また、本発明は、上記に記載の発明において、前記第１の無線方式検出ステップ又は前記第２の無線方式検出ステップのうち少なくとも一方は、前記受信信号から既に検出されている無線方式で使用されている周波数帯域の成分を前記受信信号において抑圧する抑圧ステップを備え、前記第２の無線方式検出ステップは、前記抑圧ステップにおいて周波数帯域の成分が抑圧された前記受信信号の信号電力が予め定められた電力しきい値以上であるか否かの判定を行うレベル検出ステップと、前記レベル検出ステップにおいて、前記信号電力が前記電力しきい値以上であると判定された場合に、前記抑圧ステップにおいて周波数帯域の成分が抑圧された前記受信信号に対して特徴解析を行うことにより、該受信信号に含まれる信号の無線方式を検出する特徴解析ステップとを備えることを特徴とする。
【００１１】
また、本発明は、上記に記載の発明において、前記復調ステップにおいて、更に、復調をしている無線方式の信号の受信が完了したことを検出し、前記抑圧ステップにおいて、更に、受信が完了したことが検出されると、検出された無線方式で使用されている周波数帯域の成分を抑圧することを停止することを特徴とする。
【００１２】
また、本発明は、上記に記載の発明において、前記特徴解析ステップにおいて、前記抑圧ステップにおいて周波数帯域の成分が抑圧された前記受信信号から、前記電力しきい値以上の信号電力が存在する周波数と、当該周波数の幅と、当該周波数において用いられている変調方式とのうち少なくとも１つを用いて無線方式を検出することを特徴とする。
【００１３】
また、本発明は、上記に記載の発明において、前記第１の無線方式検出ステップにおいて、ＦＦＴを用いて、前記受信信号を周波数領域の信号に変換し、受信対象としている無線方式で使用されている周波数帯域に亘って信号の検出を行い、前記第２の無線方式検出ステップは、既に検出されている無線方式で使用されている周波数帯域以外の周波数帯域における信号が前記第１の無線方式検出ステップにおいて検出された場合に、検出された信号の周波数帯域に対して、前記第１の無線方式検出ステップにおけるＦＦＴより分解能の高いＦＦＴを行うＦＦＴステップと、前記ＦＦＴステップにおいて周波数領域の信号に変換された信号に対して特徴解析を行うことにより無線方式を検出するステップとを備えることを特徴とする。
【００１４】
また、上記問題を解決するために、本発明は、複数の異なる無線方式の信号が含まれる受信信号を受信し、前記受信信号から無線方式を検出する無線受信装置であって、前記受信信号から受信対象としている無線方式で使用されているすべての周波数帯域に亘って信号を検出し、更に、既に検出された無線方式で使用されている周波数帯域以外の周波数帯域において受信対象としている無線方式の信号を検出する無線方式検出部と、前記無線方式検出部により検出された無線方式を用いて、前記受信信号に対して復調を行う復調部とを具備することを特徴とする無線受信装置である。
【００１５】
また、本発明は、上記に記載の発明において、前記受信信号から既に検出されている無線方式で使用されている周波数帯域の成分を前記受信信号から抑圧する抑圧部と、前記抑圧部により周波数帯域の成分が抑圧された前記受信信号の信号電力が予め定められた電力しきい値以上であるか否かの判定を行うレベル検出部と、前記レベル検出部により前記信号電力が前記電力しきい値以上であると判定された場合に、前記抑圧部において周波数帯域の成分が抑圧された前記受信信号に対して特徴解析を行う特徴解析部とを更に具備し、前記無線方式検出部は、前記特徴解析部による特徴解析の結果に基づいて、前記受信信号に含まれる信号の無線方式を検出することを特徴とする。
【００１６】
また、本発明は、上記に記載の発明において、前記復調部は、更に、復調をしている無線方式の信号の受信が完了したことを検出し、前記抑圧部は、更に、受信が完了したことが検出されると、検出された無線方式で使用されている周波数帯域の成分を抑圧することを停止することを特徴とする。
【００１７】
また、本発明は、上記に記載の発明において、前記無線方式検出部は、前記抑圧部により周波数帯域の成分が抑圧された前記受信信号から、前記電力しきい値以上の信号電力が存在する周波数と、当該周波数の幅と、当該周波数において用いられている変調方式とのうち少なくとも１つを用いて無線方式を検出することを特徴とする。
【００１８】
また、本発明は、上記に記載の発明において、前記無線方式検出部は、ＦＦＴを用いて、前記受信信号を周波数領域の信号に変換し、受信対象としている無線方式で使用されている周波数帯域に亘って信号の検出を行う第１無線方式検出部と、既に検出されている無線方式で使用されている周波数帯域以外の周波数帯域における信号を前記第１無線方式検出部が検出した場合に、前記第１無線方式検出部が検出した信号の周波数帯域に対して、前記第１無線方式検出部におけるＦＦＴより分解能の高いＦＦＴを用いて、受信対象としている無線方式の信号を検出する第２無線方式検出部とを備えていることを特徴とする。
【発明の効果】
【００１９】
この発明によれば、既に検出されている無線方式で使用されている周波数帯域以外の周波数帯域に対して、受信対象の無線方式の信号を検出する。これにより、既に検出されている無線方式がある場合、当該無線方式に対する検出を重複して行わないようにすることができ、各無線方式の信号を検出する際に要する演算量を削減することができる。
【図面の簡単な説明】
【００２０】
【図１】第１の実施形態における無線受信装置１の構成を示す概略ブロック図である。
【図２】同実施形態における無線方式検出処理を示すフローチャートである。
【図３】同実施形態におけるフィルタ部１０４に対する入出力の周波数スペクトラムの一例を示す図である。
【図４】第２の実施形態における無線受信装置２の構成を示す概略ブロック図である。
【図５】同実施形態における無線方式検出処理を示すフローチャートである。
【図６】同実施形態におけるＦＦＴ部２０４に対する入出力の周波数スペクトラムの一例を示す図である。
【図７】第３の実施形態における無線受信装置３の構成を示す概略ブロック図である。
【図８】同実施形態における無線方式検出処理を示すフローチャートである。
【図９】比較例における無線受信装置９の構成を示す概略ブロック図である。
【発明を実施するための形態】
【００２１】
以下、図面を参照して、本発明の実施形態における無線受信方法、及び無線受信装置を説明する。まず、本発明の実施形態を説明する前に、本発明の実施形態に対する比較例について説明する。
【００２２】
（比較例）
図９は、本発明の実施例に対する比較例における無線受信装置９の構成を示す概略ブロック図である。同図に示すように、無線受信装置９は、アンテナ９０１、ＲＦ（Radio Frequency：無線周波数）部９０２、ＡＤ（Analogue-Digital：アナログ−ディジタル）変換部９０３、特徴解析部９０４、無線方式検出部９０５、ソフトウエア記憶部９０６、無線方式割当部９０７、遅延部９０８、及び、復調部９０９を具備している。
【００２３】
ＲＦ部９０２は、アンテナ９０１を介して受信する受信信号に対しダウンコンバートを行う。ＲＦ部９０２は、ダウンコンバートにより得られたＩＦ（Intermediate Frequency：中間周波数）帯域のＩＦ信号をＡＤ変換部９０３に出力する。
ＡＤ変換部９０３は、入力されるＩＦ信号に対し、アナログ−ディジタル変換を行う。ＡＤ変換部９０３は、ディジタル化したディジタル受信信号を特徴解析部９０４と遅延部９０８とに出力する。
特徴解析部９０４は、入力されるディジタル受信信号に対して特徴解析を行い、特徴解析の結果を無線方式検出部９０５に出力する。
無線方式検出部９０５は、入力される特徴解析の結果に基づいて、ディジタル受信信号に含まれる信号の無線方式を検出し、検出した無線方式を示す情報を無線方式割当部９０７に出力する。
【００２４】
ソフトウエア記憶部９０６は、自装置が受信対象とする無線方式ごとに、受信信号に対する信号処理を復調部１１２に実行させるためのソフトウエアが予め記憶されている。
無線方式割当部９０７は、検出された無線方式に対応するソフトウエアをソフトウエア記憶部９０６から読み出し、読み出したソフトウエアを復調部９０９に出力する。
遅延部９０８は、ＡＤ変換部９０３から入力されるディジタル受信信号に対して、特徴解析部９０４から無線方式割当部９０７までの処理に要する時間に相当する遅延を与えて、ディジタル信号を復調部９０９に出力する。
復調部９０９は、無線方式割当部９０７から入力されるソフトウエアを実行する。これにより、復調部９０９は、無線方式検出部９０５が検出した無線方式に対応する信号処理を、遅延部９０８から入力されるディジタル受信信号に対して行う。復調部９０９は、信号処理により得られた信号を出力信号として、上位の装置などに出力する。
【００２５】
上述した比較例における無線受信装置９では、ディジタル受信信号に対して、特徴解析部９０４から無線方式割当部９０７までの処理が常に行われていることになり、復調部９０９における復調対象の信号の増加に応じて、無線受信装置９における演算量が増加することになる。演算処理能力が制限されているソフトウエア無線受信装置では、演算量の増加により、受信対象とする無線方式の復調ができなくなる場合があり、演算量の削減が望まれている。
【００２６】
（第１の実施形態）
図１は、本発明に係る第１の実施形態における無線受信装置１の構成を示す概略ブロック図である。無線受信装置１は、複数の異なる無線方式の信号が含まれる受信信号を受信し、受信信号から無線方式の信号を検出し、各無線方式の信号を復調する無線受信装置である。また、同図に示すように、無線受信装置１は、アンテナ１０１、ＲＦ部１０２、ＡＤ変換部１０３、フィルタ部１０４、レベル検出部１０５、特徴解析部１０６、無線方式記憶部１０７、無線方式検出部１０８、ソフトウエア記憶部１０９、無線方式割当部１１０、遅延部１１１、復調部１１２、受信パケット情報記憶部１１３、検出結果記憶部１１４、及び、フィルタ制御部１１５を具備している。
【００２７】
ＲＦ部１０２は、アンテナ１０１を介して受信する受信信号に対しダウンコンバートを行う。ＲＦ部１０２は、ダウンコンバートにより得られたＩＦ帯域のＩＦ信号をＡＤ変換部１０３に出力する。
ＡＤ変換部１０３は、入力されるＩＦ信号に対し、アナログ−ディジタル変換を行う。ＡＤ変換部１０３は、ディジタル化したディジタル受信信号をフィルタ部１０４と、遅延部１１１に出力する。
【００２８】
フィルタ部１０４は、入力されるディジタル受信信号に対して、フィルタ制御部１１５の制御に応じて、既に検出された無線方式に対応する周波数帯域の成分を抑圧する。フィルタ部１０４は、フィルタ制御部１１５の制御に応じて周波数帯域の成分を抑圧したディジタル受信信号をレベル検出部１０５に出力する。
レベル検出部１０５は、入力されるディジタル受信信号の信号電力を測定し、測定した信号電力が予め定められた電力しきい値以上であるか否かを判定する。レベル検出部１０５は、測定した信号電力が電力しきい値以上である場合、入力されたディジタル受信信号を特徴解析部１０６に出力する。一方、レベル検出部１０５は、測定した信号電力が電力しきい値未満である場合、入力されたディジタル受信信号を特徴解析部１０６に出力しない。
【００２９】
特徴解析部１０６は、入力されるディジタル受信信号に対して特徴解析を行い、特徴解析の結果を無線方式検出部１０８に出力する。特徴解析において、特徴解析部１０６は、例えば、ディジタル受信信号に対して、ＦＦＴ（Fast Fourier Transform：高速フーリエ変換）を行い、ディジタル受信信号を周波数領域の信号に変換する。更に、周波数領域の信号に基づいて、ディジタル受信信号に含まれている信号が存在している周波数帯域、ｃｈ番号、帯域幅を特定する。また、ディジタル受信信号に基づいて変調方式等を特定する。例えば、変調方式の特定は、ＩＱ平面におけるコンスタレーション（信号空間ダイアグラム）の軌跡に基づいて行う。
更に、特徴解析部１０６は、入力されるディジタル受信信号に対して、予め定められているプリアンブルやユニークワードとのパターンマッチング（相関検出）を行い、ディジタル受信信号に含まれるプリアンブルやユニークワードを検出する。
【００３０】
無線方式記憶部１０７には、自装置が受信対象とする無線方式ごとに、使用される周波数帯域、ｃｈ番号、及び帯域幅を含む無線方式情報が予め記憶されている。なお、無線方式情報は、各無線方式において使用される変調方式や、プリアンブル又はユニークワードなどを含むようにしてもよい。
無線方式検出部１０８は、特徴解析部１０６から入力される特徴解析の結果と、無線方式記憶部１０７に記憶されている無線方式情報とを対比して、特徴解析部１０６に入力されたディジタル受信信号に含まれている信号の無線方式を検出する。このとき、無線方式検出部１０８は、特徴解析の結果に含まれる周波数、周波数の幅、変調方式、又はプリアンブルなどのうち少なくとも１つを用いて無線方式を検出する。無線方式検出部１０８は検出結果を無線方式割当部１１０に出力する。また、無線方式検出部１０８は検出した無線方式に対応する周波数帯域、ｃｈ番号、及び帯域幅、並びに変調方式などを示す検出結果情報を検出結果記憶部１１４に記憶させる。
【００３１】
ソフトウエア記憶部１０９には、自装置が受信対象とする無線方式ごとに、受信信号に対する信号処理を復調部１１２に実行させるためのソフトウエアが予め記憶されている。
無線方式割当部１１０は、無線方式検出部１０８から入力される検出結果が示す無線方式に対応するソフトウエアをソフトウエア記憶部１０９から読み出し、読み出したソフトウエアを復調部１１２に出力する。
遅延部１１１は、ＡＤ変換部１０３から入力されるディジタル受信信号に対して、フィルタ部１０４から無線方式割当部１１０までの処理に要する時間に相当する遅延を与えて、ディジタル受信信号を復調部１１２に出力する。なお、遅延部１１１は記憶素子等を用いて実現することも可能であり、その場合にはＦＩＦＯ（First-In First-Out）方式のバッファを用いるようにしてもよい。
【００３２】
復調部１１２は、無線方式割当部１１０から入力されるソフトウエアを実行する。これにより、復調部１１２は、無線方式検出部１０８が検出した無線方式に対応する信号処理を、遅延部１１１から入力されるディジタル受信信号に対して行う。復調部１１２は、信号処理により得られた信号を出力信号として、上位の装置などに出力する。
なお、復調部１１２が複数のソフトウエアを並列に実行できる演算処理能力（例えば、複数のＣＰＵや、排他制御されたメモリなど）を有している場合、無線方式割当部１１０は、無線方式の信号処理に要する並列実行数を判定し、判定した並列実行数に応じてソフトウエア記憶部１０９から読み出したソフトウエアを分割して、分割した複数のソフトウエアを復調部１１２に出力するようにしてもよい。この場合、必要となる並列実行数がソフトウエアに含まれるようにしてもよい。また、複数の無線方式を併用して信号処理を行う場合、無線方式割当部１１０は、各無線方式に対応するソフトウエアを並列に実行させるように演算処理能力の割り当てを行うようにしてもよい。
【００３３】
受信パケット情報記憶部１１３は、不図示のＭＡＣ（Medium Access Control：媒体アクセス制御）部などの上位の装置から、受信信号に含まれる信号のパケット長や、受信完了などを示す受信パケット情報が入力され、入力された受信パケット情報を記憶する。
検出結果記憶部１１４は、無線方式検出部１０８から検出結果が入力され、入力された検出結果を記憶する。
【００３４】
フィルタ制御部１１５は、検出結果記憶部１１４に記憶されている検出結果情報に基づいて、検出結果情報が示す周波数帯域及び帯域幅の信号をフィルタ部１０４において抑圧するためのタップ数やタップ係数等のパラメータを算出する。フィルタ制御部１１５は、算出したタップ数やタップ係数等のパラメータをフィルタ部１０４に出力して、フィルタ部１０４を制御する。なお、各無線方式において使用される周波数帯域、帯域幅等が限定されている場合、フィルタ部１０４におけるタップ数及びタップ係数等のパラメータをテーブルとして予め記憶しておき、検出結果情報に対応するタップ数及びタップ係数等をテーブルから読み出すようにしてもよい。
【００３５】
また、フィルタ制御部１１５は、受信パケット情報記憶部１１３に記憶されている受信パケット情報に基づいて、パケットの受信が完了したと判断すると、フィルタ部１０４による周波数帯域の成分を抑圧する処理を停止させる。このとき、フィルタ制御部１１５は、フィルタ部１０４を制御する際に用いているパラメータと、検出結果記憶部１１４に記憶されている検出結果情報とを削除する。なお、パケットの受信の完了を復調部１１２において検出するようにしてもよい。
また、フィルタ制御部１１５は、受信したパケットごとに無線方式を検出する処理を行わないようにしてもよい。具体的には、フィルタ制御部１１５は、無線方式において予め定められている規定時間内に受信パケットを継続して受信した場合に、検出済み状態を維持して、フィルタ部１０４が当該無線方式に対応する周波数帯域の成分を抑圧させる。また、フィルタ制御部１１５は、規定時間を経過しても受信パケットがない場合に、検出済み状態を解除して、フィルタ部１０４を制御する際に用いているパラメータと、検出結果記憶部１１４に記憶されている検出結果情報とを削除する。ここで、受信パケットの有無の判定は、例えば、ＭＡＣ部などの上位装置からの受信パケット情報や復調部１１２の復調処理の情報によって行う。
【００３６】
図２は、本実施形態における無線方式検出処理を示すフローチャートである。
無線受信装置１において、無線方式検出処理が開始されると、フィルタ制御部１１５は、検出結果記憶部１１４に記憶されている検出結果情報の有無に基づいて、既に検出済みの無線方式があるか否かを判定する（ステップＳ１０１）。
既に検出されている無線方式がある場合（ステップＳ１０１：Ｙｅｓ）、フィルタ制御部１１５は、検出結果情報に基づいて、検出されている無線方式に対応するタップ数及びタップ係数等のパラメータをフィルタ部１０４に設定し、検出されている無線方式において使用される周波数帯域の成分を抑圧させる（ステップＳ１０２）。一方、既に検出されている無線方式がない場合（ステップＳ１０１：Ｎｏ）、フィルタ制御部１１５は処理をステップＳ１０３に進める。すなわち、この場合に抑圧する周波数帯域を設定しない。
【００３７】
レベル検出部１０５は、フィルタ部１０４から出力されるディジタル受信信号の信号電力が電力しきい値以上であるか否かを判定し（ステップＳ１０３）、信号電力が電力しきい値未満である場合（ステップＳ１０３：Ｎｏ）、処理をステップＳ１０１に戻す。一方、信号電力がしきい値電力以上である場合（ステップＳ１０３：Ｙｅｓ）、レベル検出部１０５はディジタル受信信号を特徴解析部１０６に出力する。特徴解析部１０６はディジタル受信信号に対して特徴解析を行う（ステップＳ１０４）。
【００３８】
無線方式検出部１０８は、特徴解析結果に基づいて、ディジタル受信信号に含まれる信号の無線方式を検出する。無線方式検出部１０８は、検出した無線方式がまだ検出されていない、新たな無線方式であるか否かを判定し（ステップＳ１０５）、検出した無線方式が既に検出されている無線方式である場合（ステップＳ１０５：Ｎｏ）、処理をステップＳ１０１に戻す。一方、検出した無線方式が新たな無線方式である場合、無線方式検出部１０８は、検出結果記憶部１１４を介して新たに検出した無線方式を示す検出結果情報をフィルタ制御部１１５に通知する。フィルタ制御部１１５は、検出結果情報に基づいて、フィルタ部１０４のパラメータの設定を行う（ステップＳ１０６）。
【００３９】
無線方式割当部１１０は、無線方式検出部１０８の検出結果に基づいて、新たに検出された無線方式に対応するソフトウエアを復調部１１２に出力して、復調部１１２において行われる信号処理の設定を行い（ステップＳ１０７）、処理をステップＳ１０１に戻す。
【００４０】
図３は、本実施形態におけるフィルタ部１０４に対する入出力の周波数スペクトラムの一例を示す図である。ここでは、入力されるディジタル受信信号に無線方式Ａ、Ｂ及びＣの信号が含まれており、無線方式Ａが既に検出されている場合について示している。
図３（Ａ）はフィルタ部１０４に入力されるディジタル受信信号の周波数スペクトラムを示す図であり、図３（Ｂ）はフィルタ部１０４から出力されるディジタル受信信号の周波数スペクトラムを示す図である。同図において、横軸は周波数を示しており、縦軸は信号電力（受信レベル）を示している。
図３（Ｂ）に示すように、フィルタ部１０４から出力されるディジタル受信信号は、既に検出されている無線方式Ａに使用される周波数帯域の成分が抑圧され、無線方式Ｂ及びＣの信号が含まれるディジタル受信信号が出力される。これにより、レベル検出部１０５より後の処理において、無線方式Ａに対する検出の処理を行わないようにすることができ、特徴解析部１０６及び無線方式検出部１０８における無線方式を検出する際に要する演算量を低減することができる。また、ディジタル受信信号に無線方式Ａの信号のみが含まれる場合、レベル検出部１０５には、無線方式の検出対象になる信号を含まないディジタル受信信号が入力されることになる。この場合、レベル検出部１０５は、電力しきい値未満の信号電力のディジタル受信信号を特徴解析部１０６に出力しないので、特徴解析部１０６以降の処理は行われないことになる。
このように、フィルタ部１０４において信号を抑圧し、既に検出されている無線方式に対する検出処理を行わないようにすることにより、受信信号に含まれる各無線方式の信号を検出する処理に要する演算量を低減させることができる。
【００４１】
上述のように、本実施形態における無線受信装置１は、既に検出されている無線方式の信号がない場合、自装置が受信の対象としている無線方式で使用されているすべての周波数帯域に亘って、受信対象としている無線方式の信号を受信信号から検出する。更に、無線受信装置１は、既に検出している無線方式の信号がある場合、自装置が受信対象としている無線方式で用いられているすべての周波数帯域のうち、既に検出している無線方式の信号で使用されている周波数帯域以外の周波数帯域において、受信の対象としている無線方式の信号を検出する。
具体的には、本実施形態における無線受信装置１は、既に検出されている無線方式の信号がある場合、検出済みの受信信号に対応する周波数帯域の信号をフィルタ部１０４で除去したディジタル受信信号に対して、受信すべき信号が含まれているか否かを判定する。これにより、受信信号に含まれる各無線方式の信号を検出する処理に要する演算量を低減させることができる。
また、フィルタ部１０４から出力されるディジタル受信信号の信号電力を測定し、測定した信号電力が電力しきい値未満である場合、特徴解析を行わないようにしている。これにより、受信信号に含まれる各無線方式の信号を検出する処理に要する演算量を更に低減させることができる。
【００４２】
（第２の実施形態）
第１の実施形態では、既に検出されている無線方式に対応する周波数帯域の成分をフィルタ部１０４において抑圧する構成について説明した。以下に説明する無線受信装置では、既に検出されている無線方式に対応する周波数帯域の成分をＦＦＴ部において抑圧する構成について説明する。なお、第１の実施形態と同じ構成については、同じ符号を付してその説明を省略する。
【００４３】
図４は、第２の実施形態における無線受信装置２の構成を示す概略ブロック図である。無線受信装置２は、複数の異なる無線方式の信号が含まれる受信信号を受信し、受信信号から無線方式の信号を検出し、各無線方式の信号を復調する無線受信装置である。また、同図に示すように、無線受信装置２は、アンテナ１０１、ＲＦ部１０２、ＡＤ変換部１０３、ＦＦＴ部２０４、レベル検出部１０５、特徴解析部１０６、無線方式記憶部１０７、無線方式検出部１０８、ソフトウエア記憶部１０９、無線方式割当部１１０、遅延部１１１、復調部１１２、受信パケット情報記憶部１１３、検出結果記憶部１１４、及びパラメータ制御部２１５を具備している。
【００４４】
ＦＦＴ部２０４は、ＡＤ変換部１０３から入力されるディジタル受信信号に対して、パラメータ制御部２１５の制御に応じて、ＦＦＴを行うことにより得られた周波数領域の信号をレベル検出部１０５に出力する。ここで、ＦＦＴ部２０４は、レベル検出部１０５に出力する信号において、既に検出されている無線方式に対応する周波数帯域の信号を除去して出力する。
パラメータ制御部２１５は、検出結果記憶部１１４に記憶されている検出結果情報に基づいて、ＦＦＴ部２０４においてＦＦＴを行う際に用いるパラメータ（例えば、ポイント数、サンプリング周期、出力する周波数帯域）を算出する。パラメータ制御部２１５は、算出したパラメータを用いてＦＦＴ部２０４を制御する。ここで、パラメータ制御部２１５が算出するパラメータは、既に検出されている無線方式に対応する周波数帯域の信号を除去できるものである。例えば、ディジタル受信信号を周波数領域の信号に変換した際に、既に検出されている無線方式において使用されている周波数帯域の信号を出力しないように制御を示す情報がパラメータに含まれる。
【００４５】
図５は、本実施形態における無線方式検出処理を示すフローチャートである。
無線受信装置２において、無線方式検出処理が開始されると、パラメータ制御部２１５は、検出結果記憶部１１４に記憶されている検出結果情報の有無に基づいて、既に検出済みの無線方式があるか否かを判定する（ステップＳ２０１）。
既に検出されている無線方式がある場合（ステップＳ２０１：Ｙｅｓ）、パラメータ制御部２１５は、検出結果情報に基づいて、既に検出されている無線方式に対応するパラメータを算出し、算出したパラメータをＦＦＴ部２０４に出力して設定する（ステップＳ２０２）。一方、既に検出されている無線方式がない場合（ステップＳ２０１：Ｎｏ）、パラメータ制御部２１５は、受信すべき各無線方式に対応するすべての周波数帯域の信号が出力される基本パラメータを選択してＦＦＴ部２０４に設定する（ステップＳ２０３）。
【００４６】
ＦＦＴ部２０４は、パラメータ制御部２１５により設定されたパラメータを用いて、ＡＤ変換部１０３から入力されるディジタル受信信号に対してＦＦＴを行う。ＦＦＴ部２０４は、設定されたパラメータに応じて、周波数領域に変換された信号のうち、既に検出されている無線方式に対応する周波数帯域の信号を除去してレベル検出部１０５に出力する（ステップＳ２０４）。
レベル検出部１０５は、ＦＦＴ部２０４から入力された信号の信号電力が予め定められた電力しきい値以上であるか否かを判定し（ステップＳ２０５）、信号電力が電力しきい値未満である場合（ステップＳ２０５：Ｎｏ）、処理をステップＳ２０１に戻す。一方、信号電力がしきい値電力以上である場合（ステップＳ２０５：Ｙｅｓ）、レベル検出部１０５はＦＦＴ部２０４から入力された信号を特徴解析部１０６に出力する。特徴解析部１０６は入力された信号に対して特徴解析を行う（ステップＳ２０６）。
【００４７】
無線方式検出部１０８は、特徴解析結果に基づいて、既に検出されている無線方式以外の無線方式であって、ディジタル受信信号に含まれている信号の無線方式を検出する。無線方式検出部１０８は、検出した無線方式がまだ検出されていない、新たな無線方式であるか否かを判定し（ステップＳ２０７）、新たな無線方式が検出されなかった場合（ステップＳ２０７：Ｎｏ）、処理をステップＳ２０１に戻す。一方、検出した無線方式が新たな無線方式である場合、無線方式検出部１０８は、新たに検出した無線方式を示す検出結果情報を、検出結果記憶部１１４を介してパラメータ制御部２１５に通知する。パラメータ制御部２１５は、検出結果情報に基づいて、ＦＦＴ部２０４のパラメータの設定を算出して更新する（ステップＳ２０８）。
無線方式割当部１１０は、無線方式検出部１０８の検出結果に基づいて、新たに検出された無線方式に対応するソフトウエアを復調部１１２に出力して、復調部１１２において行われる信号処理の設定を行い（ステップＳ２０９）、処理をステップＳ２０１に戻す。
【００４８】
図６は、本実施形態におけるＦＦＴ部２０４に対する入出力の周波数スペクトラムの一例を示す図である。ここでは、ＦＦＴ部２０４に入力されるディジタル受信信号に無線方式Ａ、Ｂ及びＣの信号が含まれており、無線方式Ａが既に検出されている場合について示している。
図６（Ａ）はＦＦＴ部２０４に入力されるディジタル受信信号の周波数スペクトラムを示す図であり、図６（Ｂ）はＦＦＴ部２０４から出力される周波数スペクトラムを示す図である。同図において、横軸は周波数を示しており、縦軸は信号電力（受信レベル）を示している。
図６（Ｂ）に示すように、ＦＦＴ部２０４から出力される周波数領域の信号は、既に検出されている無線方式Ａに使用される周波数帯域の成分が抑圧され、無線方式Ｂ及びＣの信号が含まれる信号が出力される。これにより、レベル検出部１０５より後の処理において、無線方式Ａに対する検出の処理を行わないようにすることができ、特徴解析部１０６及び無線方式検出部１０８における無線方式を検出する際に要する演算量を低減することができる。また、ディジタル受信信号に無線方式Ａの信号のみが含まれる場合、レベル検出部１０５には、無線方式の検出対象になる信号を含まない信号が入力されることになる。この場合、レベル検出部１０５は、電力しきい値未満の信号電力のディジタル受信信号を特徴解析部１０６に出力しないので、特徴解析部１０６以降の処理は行われないことになる。
このように、ＦＦＴ部２０４において信号を除去し、既に検出されている無線方式に対する検出処理を行わないようにすることにより、受信信号に含まれる各無線方式の信号を検出する処理に要する演算量を低減させることができる。
【００４９】
（第３の実施形態）
図７は、第３の実施形態における無線受信装置３の構成を示す概略ブロック図である。無線受信装置３は、複数の異なる無線方式の信号が含まれる受信信号を受信し、受信信号から無線方式の信号を検出し、各無線方式の信号を復調する無線受信装置である。また、同図に示すように、無線受信装置３は、アンテナ１０１、ＲＦ部１０２、ＡＤ変換部１０３、第１ＦＦＴ部３０４、第１無線方式検出部３０５、検出済無線方式判定部３０６、周波数情報記憶部３０７、帯域制限部３０８、第２ＦＦＴ部３０９、第２無線方式検出部３１０、ソフトウエア記憶部１０９、無線方式割当部１１０、遅延部１１１、及び、復調部１１２を具備している。
【００５０】
第１ＦＦＴ部３０４は、ＡＤ変換部１０３から入力されるディジタル受信信号に対してＦＦＴを行い、時間領域の信号から周波数領域の信号に変換する。第１ＦＦＴ部３０４は、変換により得られた周波数領域の信号を第１無線方式検出部３０５に出力する。ここで、第１ＦＦＴ部３０４におけるＦＦＴのポイント数は後述する第２ＦＦＴ部３０９におけるポイント数より少なく、第１ＦＦＴ部３０４は第２ＦＦＴ部３０９より粗い変換を行う。
【００５１】
第１無線方式検出部３０５は、入力される周波数領域の信号に基づいて、当該信号に含まれる信号の無線方式を検出する。第１無線方式検出部３０５は、検出した無線方式を示す情報を検出済無線方式判定部３０６に出力する。第１無線方式検出部３０５は、例えば、第１実施形態におけるレベル検出部１０５、特徴解析部１０６、及び無線方式検出部１０８が行う処理と同様の処理を行い、無線方式を検出する。
また、第１無線方式検出部３０５は、既に検出されている無線方式以外の無線方式の信号が存在すること（又は存在する可能性が高いこと）を検出したが、入力される周波数領域の信号が粗いために当該無線方式を特定できない場合、当該無線方式が存在する周波数帯域を示す周波数情報を検出済無線方式判定部３０６に出力する。周波数情報には、無線方式が使用する周波数帯、及び帯域幅などが含まれる。
【００５２】
検出済無線方式判定部３０６は、検出された無線方式が、既に検出され復調部１１２における復調対象になっている無線方式であるか否かの判定を行う。すなわち、検出済無線方式判定部３０６は、第１無線方式検出部３０５により検出された無線方式が、既に検出された無線方式であり、重複して検出された無線方式であるか否かの判定をする。検出済無線方式判定部３０６は、第１無線方式検出部３０５が検出した無線方式が、検出済の無線方式である場合、当該無線方式を示す情報を無線方式割当部１１０に出力しない。一方、検出済の無線方式でない場合、当該無線方式を示す情報を無線方式割当部１１０に出力する。また、検出済無線方式判定部３０６は、第１無線方式検出部３０５から周波数情報が入力されると、入力された周波数情報を周波数情報記憶部３０７に記憶させる。
【００５３】
帯域制限部３０８は、周波数情報記憶部３０７に記憶されている周波数情報に基づいて、ＡＤ変換部１０３から入力されるディジタル受信信号に対して特定の周波数帯域の成分を抽出して、抽出した周波数帯域の成分を含む信号を第２ＦＦＴ部３０９に出力する。ここで、帯域制限部３０８が抽出する周波数帯域の成分は、周波数情報が示す周波数帯域及び帯域幅の成分である。
第２ＦＦＴ部３０９は、帯域制限部３０８から入力される信号を、時間領域の信号から周波数領域の信号に変換し、変換により得られた周波数領域の信号を第２無線方式検出部３１０に出力する。ここで、第２ＦＦＴ部３０９におけるＦＦＴのポイント数は第１ＦＦＴ部３０４におけるＦＦＴのポイント数より多く、第２ＦＦＴ部３０９は第１ＦＦＴ部３０４より分解能の高い変換を行う。
第２無線方式検出部３１０は、第２ＦＦＴ部３０９から入力された信号に基づいて、当該信号に含まれる信号の無線方式を検出する。すなわち、第２無線方式検出部３１０は、帯域制限部３０８により帯域制限された信号から無線方式を検出する。第２無線方式検出部３１０は、検出した無線方式を示す情報を無線方式割当部１１０に出力する。第２無線方式検出部３１０は、例えば、第１実施形態におけるレベル検出部１０５、特徴解析部１０６、及び無線方式検出部１０８が行う処理と同様の処理を行い、無線方式を検出する。
【００５４】
図８は、本実施形態における無線方式検出処理を示すフローチャートである。
無線受信装置３において、無線方式検出処理が開始されると、第１ＦＦＴ部３０４と第１無線方式検出部３０５とによる第１の特徴解析が実行される（ステップＳ３０１）。
第１無線方式検出部３０５は、第１ＦＦＴ部３０４から入力される信号の信号電力が電力しきい値以上であるか否かを判定し（ステップＳ３０２）、信号電力が電力しきい値未満である場合（ステップＳ３０２：Ｎｏ）、処理をステップＳ３０１に戻す。一方、信号電力が電力しきい値以上である場合（ステップＳ３０２：Ｙｅｓ）、第１無線方式検出部３０５は、第１ＦＦＴ部３０４から入力される信号に含まれる信号の無線方式の検出を行う。第１無線方式検出部３０５は、検出した無線方式を示す情報、又は周波数情報を検出済無線方式判定部３０６に出力する。検出済無線方式判定部３０６は、既に検出されている無線方式以外の無線方式が検出されたか否かを判定する（ステップＳ３０３）。
【００５５】
既に検出されている無線方式以外の無線方式が検出されていない場合（ステップＳ３０３：Ｎｏ）、検出済無線方式判定部３０６は、処理をステップＳ３０１に戻す。一方、既に検出されている無線方式以外の無線方式が検出された場合（ステップＳ３０３：Ｙｅｓ）、第１無線方式検出部３０５において無線方式が特定されているか否かを判定する（ステップＳ３０４）。
無線方式が特定されている場合（ステップＳ３０４：Ｙｅｓ）、検出済無線方式判定部３０６は、処理をステップＳ３０７に進める。一方、無線方式が特定されていない場合（ステップＳ３０４：Ｎｏ）、検出済無線方式判定部３０６は、周波数情報記憶部３０７を介して周波数情報を帯域制限部３０８に通知する。これにより、帯域制限部３０８、第２ＦＦＴ部３０９、及び第２無線方式検出部３１０による第２の特徴解析が開始される（ステップＳ３０５）。
【００５６】
第２無線方式検出部３１０は、第２ＦＦＴ部３０９から入力される信号に含まれる信号の無線方式の検出を行う。第２無線方式検出部３１０は、検出した無線方式が、既に検出されている無線方式であるか否かを判定し（ステップＳ３０６）、既に検出されている無線方式である場合（ステップＳ３０６：Ｙｅｓ）、処理をステップＳ３０１に戻す。一方、既に検出されている無線方式でない場合（ステップＳ３０６：Ｎｏ）、検出した無線方式を示す情報を無線方式割当部１１０に出力する。無線方式割当部１１０は、検出済無線方式判定部３０６又は第２無線方式検出部３１０から入力された無線方式を示す情報に基づいて、新たに検出された無線方式に対応するソフトウエアを復調部１１２に出力して、復調部１１２において行われる信号処理の設定を行い（ステップＳ３０７）、処理をステップＳ３０１に戻す。
【００５７】
上述のように、本実施形態における無線受信装置３は、受信対象としている無線方式で使用されているすべての周波数帯域に亘って第１無線方式検出部３０５が信号の検出を行い、既に検出されている無線方式以外の信号が第１無線方式検出部３０５により検出されると、当該信号の周波数帯域に対して第２無線方式検出部３１０が信号の検出を行う。
具体的には、無線受信装置３では、無線方式を検出する処理の負荷を抑えるために、ＦＦＴポイント数を少なく設定した第１ＦＦＴ部３０４を用いて変換された周波数領域の信号に基づいて、第１無線方式検出部３０５が無線方式の検出を行う。このとき、既に検出されている無線方式以外の無線方式が検出された場合、検出された無線方式に応じたソフトウエアを復調部１１２に設定して復調を行う。また、第１ＦＦＴ部３０４における変換が粗いために、無線方式の特定ができない場合、無線方式の特定ができなかった信号を含む周波数帯域を示す情報を帯域制限部３０８に通知する。帯域制限部３０８は無線方式の特定ができなかった信号の周波数帯域を抽出し、第２無線方式検出部３１０が当該周波数帯域の信号に基づいて無線方式を検出する。
このように、より詳細な特徴解析を必要とする場合において、特徴解析の対象となる周波数範囲を限定することにより、演算量を削減することができる。すなわち、無線方式を特定する際に詳細な特徴解析を常に行わず、粗い特徴解析では無線方式を特定できない場合に詳細な特徴解析を行うことにより、受信信号に含まれる各無線方式の信号を検出する処理に要する演算量を低減させることができる。
【００５８】
なお、本実施形態の無線受信装置３において行う、粗い第１の特徴解析と、限定された周波数帯域における詳細な第２の特徴解析とを行う構成を、第１の実施形態又は第２の実施形態に適用するようにしてもよい。
また、本実施形態の無線受信装置３において、検出済無線方式判定部３０６を用いて無線方式を重複して検出しない構成について説明したが、第１の実施形態や第２の実施形態と同様に、既に検出されている無線方式で使用される周波数帯域の成分を抑圧した後に、第１無線方式検出部３０５が無線方式を検出するようにしてもよい。
【００５９】
上述の各実施形態において説明したように、演算処理能力（ＣＰＵ性能等）が制限されているソフトウエア無線受信装置において、検出済の無線方式の信号が受信信号に含まれている場合、検出済の無線方式の信号を受信信号から抑圧（除去）した信号に対して、無線方式の検出を行うようにした。これにより、無線方式の不要な検出処理を行わなくてすむため、無線方式の検出に要する演算の負荷を抑えることができる。具体的には、フィルタ部１０４や、ＦＦＴ部２０４、第１ＦＦＴ部３０４及び第２ＦＦＴ部３０９におけるパラメータを制御することにより、検出済の無線方式の信号を予め抑圧（除去）してから特徴解析を行うことにより、演算の負荷を抑えることができる。
更に、第３の実施形態において説明したように、ＦＦＴを２段階にして処理負荷を抑えて無線方式を検出するようにし、第１の特徴解析で無線方式が特定できない場合に、詳細な第２の特徴解析を行うようした。これにより、無線方式の検出に要する負荷を抑えることができる。
【００６０】
なお、上述の各実施形態の無線受信装置において、ＩＦ帯域にダウンコンバートした信号をディジタル化したディジタル受信信号に対して各無線方式を検出する構成について説明した。しかし、これに限ることなく、無線周波数帯域の信号をディジタル化した信号に対して各無線方式を検出するようにしてもよい。
また、上述の各実施形態の無線受信装置は、アンテナ１０１、ＲＦ部１０２及びＡＤ変換部１０３を具備する構成について説明した。しかし、これに限ることなく、アンテナ１０１、ＲＦ部１０２及びＡＤ変換部１０３を具備せずに、他の装置において得られたディジタル受信信号を入力する無線受信装置としてもよい。
【００６１】
なお、本発明における無線受信装置の機能を実現するためのプログラムをコンピュータ読み取り可能な記録媒体に記録して、この記録媒体に記録されたプログラムをコンピュータシステムに読み込ませ、実行することにより無線方式検出処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムに既に記録されているプログラムとの組み合わせで実現できるもの、いわゆる差分ファイル（差分プログラム）であっても良い。
【００６３】
なお、本発明に記載の抑圧部は、実施形態におけるフィルタ部１０４又はＦＦＴ部２０４に対応する。
【符号の説明】
【００６４】
１，２，３，９…無線受信装置
１０１，９０１…アンテナ
１０２，９０２…ＲＦ部
１０３，９０３…ＡＤ変換部
１０４…フィルタ部
１０５…レベル検出部
１０６，９０４…特徴解析部
１０７…無線方式記憶部
１０８，９０５…無線方式検出部
１０９，９０６…ソフトウエア記憶部
１１０，９０７…無線方式割当部
１１１，９０８…遅延部
１１２，９０９…復調部
１１３…受信パケット情報記憶部
１１４…検出結果記憶部
１１５…フィルタ制御部
２０４…ＦＦＴ部
２１５…パラメータ制御部
３０４…第１ＦＦＴ部
３０５…第１無線方式検出部
３０６…検出済無線方式判定部
３０７…周波数情報記憶部
３０８…帯域制限部
３０９…第２ＦＦＴ部
３１０…第２無線方式検出部
【図１】
0005688037.tif 000002
【図２】
0005688037.tif 000003
【図３】
0005688037.tif 000004
【図４】
0005688037.tif 000005
【図５】
0005688037.tif 000006
【図６】
0005688037.tif 000007
【図７】
0005688037.tif 000008
【図８】
0005688037.tif 000009
【図９】
0005688037.tif 000010